(57)【要約】      （修正有）【課題】グイマツのＦ１雑種の苗木の低コストでの量産化と出荷時期のコントロールを実現する苗木の生産方法を提供する。【解決手段】グイマツのＦ１雑種の苗木の生産方法であって、元木を苗圃に植え付けて栽培する工程と、２年元木、３年元木、４年元木から各３０本以上、約１５ｃｍの長さの穂を採る工程と、ビニールハウス内の約３０ｃｍの火山礫層の地面に挿し木して栽培する工程と、挿し木した翌年に、苗木をビニールハウスから取り出し、元肥が施肥された各ポットに１本ずつ植え付け、１平米当たり約２００本を露地に置く工程と、各ポットに、スプリンクラーにより１回当たり１時間で約３３ｍｍの散水を実施し、併せて、元肥の効果が切れた場合、各ポットに、液肥を適宜に施肥する工程と、苗木の出荷の約１か月前に液肥の施肥を止める工程と、出荷の当日又は前日に、弁当肥を５ｇずつ各ポットに、かん注する工程とを有する苗木の生産方法。【選択図】図１
2020167952.tif 000002
【特許請求の範囲】
【請求項１】
グイマツのＦ１雑種の苗木の生産方法であって、
元木を苗圃に植え付けて栽培する工程と、
２年元木から３０本以上、３年元木から３０本以上、４年元木から３０本以上、約１５ｃｍの長さの穂を採る工程と、
採った前記穂をビニールハウス内の約３０ｃｍの火山礫層の地面に、１平米当たり約５００本を挿し木して前記苗木として、前記ビニールハウス内の前記苗木付近の空気の温度が約２８℃および湿度が約７５％〜８０％で、かつ、前記苗木付近の地温が約２０℃〜２５℃で栽培する工程と、
前記挿し木した翌年に、前記苗木を前記ビニールハウスから取り出し、培土４０リットルに対して魚滓９００ｇ及び化成肥料２００ｇの割合で、少なくとも前記魚滓及び前記化成肥料からなる元肥が施肥された各ポットに１本ずつ植え付け、１平米当たり約２００本を露地に置く工程と、
栽培に際して、前記各ポットに、スプリンクラーにより１回当たり１時間で約３３ｍｍの散水を適宜に実施し、併せて、前記元肥の効果が切れた場合、前記各ポットに、液肥を適宜に施肥する工程と、
前記苗木の出荷の約１か月前に前記液肥の施肥を止める工程と、
前記出荷の当日又は前日に、前記魚滓からなる弁当肥を５ｇずつ前記各ポットに、かん注する工程と
を有する苗木の生産方法。
【発明の詳細な説明】
【技術分野】
【０００１】
本発明は、スーパーグイマツ（「グイマツのＦ１雑種」のことをいう。）の苗木の生産方法に関する。
【背景技術】
【０００２】
グイマツのＦ１雑種として、以下の利点を有するものが知られている。
（１）ネズミが食すことが少ない。
（２）成長が早い。ネズミが食すことが少ない。
（３）材質が硬い。
（４）二酸化炭素の吸収率が高い。
【０００３】
従来から、その苗木の量産化手法が求められていた。
【０００４】
苗木の生産方法の関連技術として、植替え後の作業量を低減しつつ、品質の良い果実の収穫量を多くするために、実生の台木を植替えた後に穂木を接ぎ木する苗木の生産方法であって、台木の植替え先の土壌が所定の弱酸性でない場合に、土壌の酸性度を所定の弱酸性に調整する酸性度調整工程と、台木の植替え前に、土壌に対して大豆及びトウモロコシを含む飼料を元肥として施肥する元肥工程とを含む技術が提案されている（特許文献１参照）。
【先行技術文献】
【特許文献】
【０００５】
【特許文献１】特許第６２５０８６１号公報
【発明の概要】
【発明が解決しようとする課題】
【０００６】
しかしながら、特許文献１に記載の技術では、グイマツのＦ１雑種の苗木の低コストでの量産化と出荷時期のコントロールについて具体的な手法の開示はなく、その実現は困難であるという問題点があった。
本発明は専門業者により実証レベルで完成された具体的なノウハウが詰まった手法であり、従来技術では実現できなかった苗木の生産方法を確立したものである。
【０００７】
本発明の目的は、グイマツのＦ１雑種の苗木の低コストでの量産化と出荷時期のコントロールを実現する苗木の生産方法を提供することにある。
【課題を解決するための手段】
【０００８】
本発明の苗木の生産方法は、
グイマツのＦ１雑種の苗木の生産方法であって、
元木を苗圃に植え付けて栽培する工程と、
２年元木から３０本以上、３年元木から３０本以上、４年元木から３０本以上、約１５ｃｍの長さの穂を採る工程と、
採った前記穂をビニールハウス内の約３０ｃｍの火山礫層の地面に、１平米当たり約５００本を挿し木して前記苗木として、前記ビニールハウス内の前記苗木付近の空気の温度が約２８℃および湿度が約７５％〜８０％で、かつ、前記苗木付近の地温が約２０℃〜２５℃で栽培する工程と、
前記挿し木した翌年に、前記苗木を前記ビニールハウスから取り出し、培土４０リットルに対して魚滓９００ｇ及び化成肥料２００ｇの割合で、少なくとも前記魚滓及び前記化成肥料からなる元肥が施肥された各ポットに１本ずつ植え付け、１平米当たり約２００本を露地に置く工程と、
栽培に際して、前記各ポットに、スプリンクラーにより１回当たり１時間で約３３ｍｍの散水を適宜に実施し、併せて、前記元肥の効果が切れた場合、前記各ポットに、液肥を適宜に施肥する工程と、
前記苗木の出荷の約１か月前に前記液肥の施肥を止める工程と、
前記出荷の当日又は前日に、前記魚滓からなる弁当肥を５ｇずつ前記各ポットに、かん注する工程と
を有する。
【０００９】
このように、各種の工夫により低コスト化が図られていると共に、２年元木から３０本以上、３年元木から３０本以上、４年元木から３０本以上、約１５ｃｍの長さの穂を採る工程を有することで、グイマツのＦ１雑種の苗木の量産化が可能となり、また、出荷の約１か月前に液肥の施肥を止める工程を有することで、苗木は、頂芽の成長が止まる前であっても、成長が止まるため約１か月後に出荷可能となり、出荷時期のコントロールが可能となっている。
【発明の効果】
【００１０】
本発明によれば、グイマツのＦ１雑種の苗木の低コストでの量産化と出荷時期のコントロールを実現する苗木の生産方法を提供することができる。
【図面の簡単な説明】
【００１１】
【図１】本発明の実施の形態に係るフローチャートである。
【図２】本発明の実施の形態に係る元木植付を示す図である。
【図３】本発明の実施の形態に係る「穂」を示す図である。
【図４】本発明の実施の形態に係るビニールハウスを示す図である。
【図５】本発明の実施の形態に係る育苗ポットを示す図である。
【図６】本発明の実施の形態に係る各種の施肥と出荷タイミングを示す図である。
【図７】本発明の実施の形態に係る出荷用の布袋を示す図である。
【発明を実施するための形態】
【００１２】
図１のフローチャートを参照して、本発明の実施形態の苗木の生産方法を説明する。
ここでは、苗木の品種は、グイマツのＦ１雑種（例えば、グイマツ「中標津５号」とカラマツをかけあわせたもの）を前提とする。
【００１３】
まず、元木（母樹）を植え付けて栽培する（ステップＳ０１）。
【００１４】
次に、元木から上部の「穂」を採る（ステップＳ０２）。
ここで、１年元木（１年経過後の元木のことをいう、２年以降も同様である。）の「穂」の長さ寸法は短く、しかも数本しか採れないので、長くて大量の「穂」を確保するために元木をそのまま栽培して複数年据え置く。
そして、「穂」を２年元木から複数本、３年元木から複数本、４年元木から複数本など、１本の元木から多数の長い「穂」を採る。
【００１５】
次に、採った「穂」をビニールハウス内の地面に直接、挿し木する（ステップＳ０３）。以下、挿し木された以降の「穂」のことを苗木という場合がある。
挿し木実施・発根に最適な環境である挿し木実施可能期間に実施する。
スプリンクラーにより適宜、散水を実施する。
【００１６】
次に、翌年に、苗木をビニールハウスから取り出し、各ポットに１本ずつ植え付け、露地にて栽培する（ステップＳ０４）。その際、各ポットに、魚滓（有機物）及び化成肥料等の元肥を施肥する。
そして、栽培に際して、各ポットに、スプリンクラーにより土が乾かないように散水を適宜に実施し、併せて、元肥の効果が切れた場合、各ポットに、液肥を適宜に施肥する（ステップＳ０５）。
【００１７】
出荷の約１か月前に液肥の施肥を止める（ステップＳ０６）。苗木は、頂芽の成長が止まる前であっても、成長が止まるため約１か月後に出荷可能となる。したがって、液肥の施肥の中止時期により出荷時期をずらすようにコントロールできる。
【００１８】
出荷の当日又は前日に、魚滓（有機物）等の弁当肥を植林後の成長を促進するために各ポット（１本当たり）に、かん注する（ステップＳ０７）。
【００１９】
出荷し（ステップＳ０８）て、苗木を山等に植林する（ステップＳ０９）。
【００２０】
上記の本実施の形態によれば、グイマツのＦ１雑種の苗木の低コストでの量産化と出荷時期のコントロールを実現する苗木の生産方法を実現することができる。
【００２１】
以下では、本発明の実施形態の苗木の生産方法の実施例を詳細に説明する。
ここでも、苗木の品種は、グイマツのＦ１雑種（例えば、グイマツ「中標津５号」とカラマツをかけあわせたもの）を前提とする。
生産地域は、北海道網走郡美幌町を前提とする。
【００２２】
〔１年目〕
まず、元木（１平米当たり約１０本）を苗圃に植え付けて栽培する（ステップＳ０１）。図２に示すように、一例として、１平米当たりに均等に９本の苗木を植え付ける。
【００２３】
〔２年目〜、「穂」を採った年をＸ年目とする〕
次に、元木から上部の「穂」を採る（ステップＳ０２）。
ここで、１年元木（高さ約３０ｃｍ）の上部の「穂」の長さはせいぜい約５ｃｍであり短く、しかも数本しか採れないので、長くて大量の「穂」を確保するために元木をそのまま栽培して複数年据え置く。
したがって、図３に示すように、一例として、「穂」は、１年元木から０本、２年元木から３５本、３年元木から３５本、４年元木から３６本、穂の高さは約１５ｃｍで合計１００本超採れる（５年〜７年目もさらに採れる。）。１本の元木から多数の長い「穂」が採れるため効率がよく、生産コストも低減する。
【００２４】
次に、採った「穂」を、図４に示すように、ビニールハウス内の約３０ｃｍの火山礫層の地面に直接、挿し木する（ステップＳ０３）。以下、挿し木された以降の「穂」のことを苗木という場合がある。ビニールハウス内に設けられたスプリンクラーにより適宜、散水を実施して栽培する。
この点、従来のシャーレ（縦５０ｃｍ×横１００ｃｍなど）等に収容された穂をビニールハウス内に持って移動させる栽培手法と比較して、地面に直接なのでシャーレ等が不要で生産コストが低減し、シャーレ等の煩雑な取り扱いが不要となり、自然の土地なので苗木の成長が早い等という利点がある。
ビニールハウス内での地温２０℃前後、室温３０℃前後が挿し木実施・発根に最適な環境であり、挿し木実施可能期間は６月１日〜７月中旬までとなる。
ビニールハウスは、一例として、高さ約２．５ｍ×横幅約６ｍであり、奥行き約５０ｍ、約５０ｍ、約４５ｍの３棟が用いられ、総面積８７０平米となり、挿し木本数は、１平米当たり約５００本の合計４３５，０００本である。
ビニールハウス内の理想的な環境は、苗木付近の空気の温度が約２８℃および湿度が約７５％〜８０％で、かつ、苗木付近の地温が約２０℃〜２５℃である。
毎日の天気予報に基づき、適宜、ビニールハウス横部のビニールの巻き上げ、下げを実施する。
また、１棟のビニールハウス内の３箇所にそれぞれ設けられた３つの温度感知器のうち２つが室温２８℃以上を検知すると、電磁弁が開き、スプリンクラーから散水され、約５分で室温は２５℃以下となるように管理・制御されている。残りの２棟も同様に又は同時に管理・制御されることであってもよい。
冬季は雪の中の方が断熱作用があり暖かいため１１月下旬にビニールハウスのビニールは取り外し、それ以降は上記の温度管理等の実施は停止されることとなる。
【００２５】
〔Ｘ＋１年目〕
次に、翌年４月１日（美幌町での苗木の成長時期は概ね４月１０日〜９月１０まで。）に、苗木（挿し木本数４３５，０００本のうち順調に生長した９０％程度の約４００，０００本。）をビニールハウスから取り出し、図５に示すように、各ポットに１本ずつ植え付け、各ポットを３６マスの移植コンテナのそれぞれのマスに格納し、その移植コンテナを露地に置いて栽培する（ステップＳ０４）。１平米当たり約２００本である。なお、ポットは生分解性素材からなる袋であり、最終的には土に戻るため、植林の際にそのまま土中に埋めてしまうことが可能である。ポット（育苗ポット）のサイズは、３号（径９ｃｍ）、４号（径１２ｃｍ）、５号（径１５ｃｍ）などがある。
また、同４月１日に、各ポットに、魚滓（有機物）及び化成肥料等の元肥（５月末頃に効果が切れる。）を施肥する。培土４０リットルに対して魚滓９００ｇ、化成肥料２００ｇの割合である。
そして、同４月１日から、栽培に際して、各ポットに、スプリンクラーにより１回当たり１時間で約３３ｍｍの散水を適宜に実施し、併せて、元肥の効果が切れた場合、すなわち同６月１日から、各ポットに、液肥（例えば、株式会社ハイポネックスジャパン製のハイポネックス原液を２，０００倍に希釈して液肥とする。）を適宜に施肥する（ステップＳ０５）。土が乾かないように大量の水が必要であり、１か月で自然界での１年分もの水が必要となる。各ポットに、水１００ｇ〜１５０ｇが適量であり、特に１５０ｇが好適であるが、２００ｇだと多過ぎる。もちろん雨の後は散水は不要であるためよく観察しながら水を補給することとなる。なお、散水により肥料成分などで必要以上のものが水により流亡するという効果もある。
【００２６】
出荷の約１か月前に液肥の施肥を止める（ステップＳ０６）。苗木は、頂芽の成長が止まる前であっても、成長が止まるため約１か月後に出荷可能となる。したがって、図６に示すように、液肥の施肥の中止時期により出荷時期をずらすようにコントロールできる。なお、図６に示すように、６月３０日に出荷する場合、元肥の効果の持続期間が、出荷の約１か月前までとなるため、結果として、液肥の施肥は不要となっている。
苗木は、早いものは６月下旬に出荷可能となり、最終は８月下旬まで出荷可能である。すなわち、通常の地面に普通に苗木を植え付けて何もしないでいると、自然に大地から養分を吸収し、美幌町では概ね９月１０日で頂芽の成長が止まるため、秋にならないと苗木は出荷可能とならなく、６月、７月、８月に出荷することはできない。
【００２７】
そして、出荷の当日又は前日に、魚滓（有機物）等の弁当肥（植林後の成長を促進するために事前に施肥されるまとまった肥料のことをいう。）を植林後の成長を促進するために５ｇ、各ポット（１本当たり）に、かん注する（ステップＳ０７）。
【００２８】
出荷に際しては、図７に示すように、災害用等の布袋（高さ１００ｃｍ×横幅５０ｃｍ）に苗木をポットごと２５本ずつ収納して出荷する（ステップＳ０８）。布袋にまとめることで運搬容易及び造林の際に便利となる。なお、出荷される苗木は、当初の挿し木本数４３５，０００本のうち順調に生長した７０％程度の約３００，０００本である。
【００２９】
最後に、苗木を山等に植林する（ステップＳ０９）。ポットはそのまま土中に埋めることであってよい。造林のためにその後、数十年以上かけて育てられていくこととなる。
【００３０】
なお、上記の実施例において、低コスト化の理由の明示がない箇所であっても、当業者に自明であるコスト低減の工夫が各工程において種々存在していることはもちろんである。
【００３１】
その他、一々例示はしないが、本発明は、その趣旨を逸脱しない範囲内において、用いられる苗木の品種、長さ、本数、利用される用具・施設、温度、時期、期間を含む種々の変更が加えられて実施されてよい。
【図１】
2020167952.tif 000003
【図２】
2020167952.tif 000004
【図３】
2020167952.tif 000005
【図４】
2020167952.tif 000006
【図５】
2020167952.tif 000007
【図６】
2020167952.tif 000008
【図７】
2020167952.tif 000009